(57)【要約】【課題】内容物の加熱調理状態ならびに加熱調理後の状態を視認できる窓部を有し、かつ内容物を容易に取り出すことができ、生産性を有するブランクおよびそれを用いたカートンを提供することにある。【解決手段】組み立てて、カートンを形成するブランクであって、折り曲げ線を介して、少なくとも、糊代片、底板、側板、天板、第二側板、底板縁片、天板縁片、切込み片からなり、前記天板には、窓部を形成する切欠け部と、前記カートンを開封するミシン目線が形成され、該切欠け部には、裏面側から全面を覆う窓貼りフィルムが貼着され、前記ミシン目線が、前記切欠け部周辺の窓貼りフィルムが貼着された部位に形成されていることを特徴とするブランクである。【選択図】図２
2013184718.tif 000002
【特許請求の範囲】
【請求項１】
組み立てて、カートンを形成するブランクであって、
折り曲げ線を介して、少なくとも、糊代片、底板、側板、天板、第二側板、底板縁片、天板縁片、切込み片からなり、
前記天板には、窓部を形成する切欠け部と、前記カートンを開封するミシン目線が形成され、
該切欠け部には、裏面側から全面を覆う窓貼りフィルムが貼着され、
前記ミシン目線が、前記切欠け部周辺の窓貼りフィルムが貼着された部位に形成されていることを特徴とするブランク。
【請求項２】
前記ミシン目線の開始部と終り部が、前記窓貼りフィルムが貼着された部位に形成されていることを特徴とする請求項１記載のブランク。
【請求項３】
前記窓貼りフィルムが、透明性を有するポリエステル系フィルムからなることを特徴とする請求項１または２記載のブランク。
【請求項４】
前記板紙が、耐湿性を有していることを特徴とする請求項１〜３のいずれか１項に記載のブランク。
【請求項５】
請求項１〜４のいずれか１項に記載のブランクを組み立ててなることを特徴とするカートン。
【発明の詳細な説明】
【技術分野】
【０００１】
本発明は、電子レンジで加熱調理する内容物を収納するためのブランクおよびそれを用いたカートンに関するものである。特に、内容物を視認できる窓部を有し、かつ内容物を取り出すための開封性が備えたブランクおよびそれを用いたカートンに関するものである。
【背景技術】
【０００２】
最近、食品を蒸したり、電子レンジで加熱調理できるカートンがある。例えば、冷凍されたピザを収納したカートンを、その状態で電子レンジで加熱調理するものがある。また、調理済み食品を収納した包装袋を収納したカートンを、その状態で、電子レンジで加熱調理するものがある。該包装袋は、蒸気抜きの機能を有した包装袋が用いられている。これらのカートンは、外装容器として製品化されている。
【０００３】
このようなカートンには、特に食品や包装袋から発生する蒸気による火傷防止や、加熱調理中の食品の飛散による電子レンジ庫内の汚染などの対策を兼ねて提案されているものが多い。
【０００４】
例えば、蒸気抜き機能を有する包装袋を収納したカートンの提案がある（特許文献１）。これは、内容物の加熱により蒸気抜き包装袋が膨張すると、該包装袋から蒸気が抜け、カートンから流出させるものである。予めカートン開封口を形成しているもので、膨張した包装袋が、その膨張力で開封口を開けて、蒸気を流出させるものである。
【０００５】
しかし、包装袋の破裂や内容物の飛散を防ぐことはできるが、内容物の加熱調理状態ならびに加熱調理後の状態を視認できない問題がある。また、調理後に内容物を取り出すときに手間が掛かるなどの問題がある。
【０００６】
内容物を視認するには、カートンに窓部を形成することで可能である。従来から、窓部を有するカートンは、食品、化粧品、医薬品、おもちゃなどに広く用いられている。これらの窓部を形成する方法により形成可能である。しかし、調理後に内容物を取り出すには、手間が掛かっている。例えば、熱いカートンを片手に持って、カートンの開口口から、内容物を取り出し、別な容器に移載せるなど火傷の危険がある。
【０００７】
また内容物を取り出す方法として、カートンの所定の位置に、開封のためのミシン目線を形成し、取り出し易くする方法がある。しかし、この方法は、加熱調理時に内容物から発生する蒸気により、カートンの板紙が膨潤して、ミシン目線のカット性を低下させる場合がある。即ち、高い湿度の環境の場合、板紙が膨潤し、板紙の紙力強度を低下させる。この状態でミシン目線をカットしようとすると、板紙の層間から剥がれ、直進カットができない問題がある。実際に、蒸したり、電子レンジで加熱調理する場合には顕著である。
【０００８】
これを改善するために、板紙の内面もしくは両面にポリエチレンフィルムなどのフィルムをラミネートした板紙が用いられる。このラミネートした板紙を用いて、窓部を形成する際には、ポリエチレンフィルムなどのフィルムの上に窓貼りフィルムを貼着する方法がとられている。
【０００９】
しかし、この方法では、生産工程が多い、また材料費が掛かるなどなどの問題があり、更なる生産工程の簡略化、生産コストの低減の要望がある。
【００１０】
内容物の加熱調理状態ならびに加熱調理後の状態を視認できる窓部を有し、かつ調理後の内容物を容易に取り出すことができ、生産性を有するブランクおよびそれを用いたカートンの要望がある。
【先行技術文献】
【特許文献】
【００１１】
【特許文献１】特許第４８２６３３０号公報
【発明の概要】
【発明が解決しようとする課題】
【００１２】
このような背景技術を鑑みて、内容物の加熱調理状態ならびに加熱調理後の状態を視認できる窓部を有し、かつ内容物を容易に取り出すことができ、生産性を有するブランクおよびそれを用いたカートンを提供することにある。
【課題を解決するための手段】
【００１３】
上記の課題を解決するために、発明者らは鋭意検討を行い、本発明を完成した。
【００１４】
本発明の請求項１に係る発明は、組み立てて、カートンを形成するブランクであって、折り曲げ線を介して、少なくとも、糊代片、底板、側板、天板、第二側板、底板縁片、天板縁片、切込み片からなり、
前記天板には、窓部を形成する切欠け部と、前記カートンを開封するミシン目線が形成され、
該切欠け部には、裏面側から全面を覆う窓貼りフィルムが貼着され、
前記ミシン目線が、前記切欠け部周辺の窓貼りフィルムが貼着された部位に形成されていることを特徴とするブランクである。
【００１５】
本発明の請求項２に係る発明は、前記ミシン目線の開始部と終り部が、前記窓貼りフィルムが貼着された部位に形成されていることを特徴とする請求項１記載のブランクである。
【００１６】
本発明の請求項３に係る発明は、前記窓貼りフィルムが、透明性を有するポリエステル系フィルムからなることを特徴とする請求項１または２記載のブランクである。
【００１７】
本発明の請求項４に係る発明は、前記板紙が、耐湿性を有していることを特徴とする請求項１〜３のいずれか１項に記載のブランクである。
【００１８】
本発明の請求項５に係る発明は、請求項１〜４のいずれか１項に記載のブランクを組み立ててなることを特徴とするカートンである。
【発明の効果】
【００１９】
本発明のブランクは、組み立ててカートンを形成するもので、窓部を形成する切欠け部とカートンを開封するためのミシン目線を有している。該ミシン目線を、切欠け部周辺の窓貼りフィルムが貼着された部位に形成することにより、直線カット性を向上させたものである。特に、高い湿度の環境下でも安定した直線カット性を発現させることができる。
【００２０】
本発明の請求項１によれば、天板には、窓部を形成する切欠け部と、カートンを開封するミシン目線が形成されている。切欠け部は、カートンに収納されている内容物の加熱調理状態ならびに加熱調理後の状態を視認するためのものである。また開封するためのミシン目線を、切欠け部周辺に貼着された窓貼りフィルムの部位に形成することにより、安定した直線カット性が得られる。特に、フィルムと板紙とが貼着された部位では、高い湿度
の環境下でも安定した直線カット性が発現できる。
【００２１】
本発明の請求項２によれば、前記ミシン目線の開始部と終り部が、前記窓貼りフィルムが貼着された部位に形成することで、ミシン目線をカットする時に、開始部および終り部を安定してカットすることができる。特に、高い湿度の環境下でも安定した直線カット性が発現できる。
【００２２】
本発明の請求項３によれば、前記窓貼りフィルムには、透明性が必要である。ポリエチレンテレフタレート、ポリエチレンナフタレートなどのポリエステル系フィルムなどを使用することができる。特に蒸したり、電子レンジで加熱調理するときには、耐熱性を有するポリエステル系フィルムが好ましい。また温度を低くして調理する場合は、ポリプレピレン、ポリエチレンなどのオレフィン系フィルムを使用しても構わない。
【００２３】
本発明の請求項４によれば、前記板紙が、耐湿性を有していることで、高い湿度の環境下での板紙の吸湿による膨潤が抑制される。経時によるミシン目線の切れ目の変化もなく、直進カット性が向上する。板紙は、吸湿により紙力強度が低下すると、ミシン目線をカットする際に、紙の層間で剥がれてしまう問題がある。よって、板紙に耐湿性を付与させることで、安定した直線カット性が発現できる。
【００２４】
本発明の請求項５によれば、本発明のブランクを組み立ててなるカートンである。本発のカートンは、内容物の加熱調理状態ならびに加熱調理後の状態を視認でき、加熱調理後には、ミシン目線を容易にカットし、内容物を取り出すことができる。例えば、蒸したり、電子レンジで加熱調理したりするカートンに最適である。
【図面の簡単な説明】
【００２５】
【図１】本発明のブランクの表面の一例を示す説明図である。
【図２】本発明のブランクの裏面の一例を示す説明図である。
【図３】ブランクに示すＸ−Ｘ´の断面を示す断面図である。
【図４】図１のブランクを組み立ててなるカートンの一例を示す説明図である。
【発明を実施するための形態】
【００２６】
以下本発明を実施するための形態につき説明する。
【００２７】
図１は、本発明のブランクの表面一例を示す説明図である。ブランク５０は、折り曲げ線ａを介して、糊代片１０、底板１１、側板１２、天板１３、第二側板１４が形成されている。底板１１には折り曲げ線ａを介してそれぞれ底板縁片１５が形成され、天板１３には折り曲げ線ａを介してそれぞれ天板縁片１６が形成されている。また側板１２、第二側板１４には、それぞれ切込み片１７が形成されている。天板１３の中央部には窓部４を形成するための切欠け部２が形成されている。切欠け部２の裏側には窓貼りフィルム５が貼着されている。切欠け部２、即ち窓部４の長手方向と平行に直線状に、カートンを開封するためのミシン目線３が形成されている。二本のミシン目線によりジッパー６が形成されている。
【００２８】
図２は、本発明のブランクの裏面の一例を示す説明図である。窓貼りフィルム５は、窓部４を形成する切欠け部２を覆うように、それぞれの天板縁片１６の端部まで貼着されている。また切欠け部２周辺の窓貼りフィルム５と板紙１が貼着された部位に、切欠け部２の長手方向と平行して直線状にミシン目線３が形成されている。ジッパー６が形成されている。
【００２９】
図３は、図１に示すＸ−Ｘ´の断面図である。板紙１には切欠け部２が形成され、該切
欠け部２の裏側には、窓貼りフィルム５が貼着されている。また切欠け部２周辺の窓貼りフィルム５と板紙１が貼着された部位に、切欠け部２の長手方向と平行に直線状にミシン目線３が形成されている。ジッパー６が形成されている。
【００３０】
図４は、図１のブランクを組み立ててなるカートンの一例を示す説明図である。カートン６０は、内容物（図に示していない）が収納されている状態を示している。糊代片１０と第二側板１４が接着剤にて接着され、スリーブ（図には示していない）にされ、開口口から内容物が収納され、底板縁片、天板縁片、切込み片をそれぞれ貼り合わせる。貼り合わせは、一部を接着剤で貼り、完全密封にする必要はない。特に内容物を加熱調理する際には、内容物からの蒸気を流出させればよく、カートンとしての剛性、内容物を保持する剛性を維持すればよい。また窓部４から内容物の加熱調理状態ならびに加熱調理後の状態を視認できるようになっている。加熱調理後に内容物を取り出す際に、容易に取り出しできるようにミシン目線３が形成されている。ジッパー６が形成されている。
【００３１】
以下、本発明を実施するための形態を更に詳細に説明する。
【００３２】
本発明に使用する板紙には、広範囲の板紙の使用が可能である。剛性があり、耐折強度を有した、アイボリー、カード紙などが使用できる。内容物が直接接するようなカートンでは、ミルク原紙などが使用できる。使用される板紙の坪量は、特に限定はされないが、カートンの形状を保持、内容物を保持するための剛性が必要である。板紙の坪量は、２００〜５００ｇ／ｍ２の範囲が好ましい。また高い湿度の環境下では、板紙の吸湿による膨潤で、ミシン目線の直進カット性が低下するのを防ぐために、板紙に耐湿性を付与することが好ましい。
【００３３】
耐湿性を付与する方法としては、板紙を抄紙する際に、サイズ剤として、澱粉、カルボキシメチルセルロース、ポリビニルアルコール、ワックス、アルキルケテンダイマーなどの薬剤、撥水剤、耐油剤として、フッ素樹脂、ワックスなどの薬剤、改質剤として、水溶性ポリマー、シランカップリング剤などの薬剤が使用できる。またこれらの薬剤を併用して使用することもできる。また板紙の表面に耐水剤や耐湿剤をコーティングしてもよい。例えば、ポリエチレン樹脂などの熱可塑性樹脂のエマルジョンなども使用できる。コーティングする方法としては、ロールコート、グラビアコート、ナイフコート、コンマーコート、ダイコートなどの一般的な方法が使用できる。
【００３４】
また、板紙の表面に印刷適性を向上させるために、フィラーを含有したコート剤を塗布した、所謂コート紙も使用することができる。印刷の美粧性の向上、また窓部との併用で装飾性を向上させることができる。
【００３５】
板紙の表面への印刷方式としては、グラビア印刷、オフセット印刷、フレキソ印刷、凸版印刷、インクジェット印刷、シルクスクリーン印刷など、通常、使用される印刷方式が可能である。
【００３６】
窓貼りフィルムとしては、透明性、耐熱性を有したものが使用される。例えば、ポリエチレンテレフタレート、ポリエチレンナフタレート、ポリブチレンテレフタレートなどのポリエステル系フィルム、ナイロン−６、ナイロン−６６などのポリアミドフィルム、ポリカーボネートフィルム、ポリアクリロニトリルフィルム、ポリイミドフィルム、ポリ塩化ビニリデンフィルム、ポリビニルアルコールフィルム、エチレン・ビニルアルコール共重合体フィルム、ポリエーテルスルフォンフィルム、ポリメチルメタクリレートフィルムなどを使用することができる。特に、上記の中でも、生産性、価格面からポリエチレンテレフタレートフィルムが好ましい。フィルムの厚みとしては、３８〜１５０μｍの範囲が好ましい。またカートンが、低温で調理に使用される時には、ポリエチレン、ポリプロピ
レンなどのポリオレフィン系フィルムを使用しても構わない。適宜加熱調理条件にて決めればよい。
【００３７】
窓貼りフィルムと板紙を貼着するための接着剤としては、酢酸ビニル樹脂、アクリル樹脂、エチレン−酢酸ビニル共重体樹脂などのエマルジョンタイプの接着剤や、澱粉などの天然樹脂接着剤、ワックス、石油樹脂、低分子ポリエチレンなどを主成分とするホットメルト接着剤、などを使用することができる。また耐熱性が必要なときには、ポリエチレンテレフタレート樹脂の接着剤を用いたり、また二液反応型ウレタン接着剤などを用いることができる。
【００３８】
接着剤を塗布する方法として、グラビア印刷、オフセット印刷、フレキソ印刷、凸版印刷、シルクスクリーン印刷、インジェット印刷、ホットメルトノズルによる印刷などの各種印刷方式が可能である。
【００３９】
ブランクを形成するには、折り曲げ線、ミシン目線などの加工、切欠け部、外形などの抜き加工は、トムソン抜き型を用いた打抜き幾または金型を用いた打抜き幾などが使用できる。一般的な公知の方法で加工することができる。
【００４０】
本発明のブランクおよびそれを用いたカートンの製造方法について説明する。
【００４１】
板紙の所定の部位に、切欠け部を打抜き機にて形成する。次に該切欠け部周辺の所定の部位に接着剤を塗布し、この切欠け部の裏側を覆うように窓貼りフィルムを貼着する。尚、窓貼りフィルムは、予め所定の寸法に裁断されているものを用いるとよい。
【００４２】
次に窓貼りフィルムが貼着された板紙を用いて、折り曲げ線、ミシン目線、外形抜きなどの加工を行い、所望のブランクを形成する。尚、ミシン目線の加工は、板紙の表面側からでもよく、また窓貼りフィルム側からでもよい。ミシン目刃の入り方を確認してから決めればよい。適宜決めればよい。また板紙の表面に印刷する必要があれば、予め上記の方法で印刷された板紙を用いることにより可能である。このようにしてブランクが形成される。
【００４３】
作成したブランクを所定の形状のカートンに組み立てる。例えば、サック貼り幾により、接着剤を用いてスリーブにする。あるいはオートフォーマ（自動製函幾）により、接着剤を用いてスリーブにする。
【００４４】
作成されたスリーブの両側の開口部のうち、一方の開口部を接着剤にて貼り合わせ閉鎖し、他方の開口部から内容物を収納し、しかる後、該開口部を閉鎖することにより、内容物を収納したカートンが作成される。作成したカートンは完全に密封された状態は好ましくない。加熱調理時に発生する蒸気をカートンから流出できる程度に部分的に接着させればよい。作成されたカートンは、内容物の加熱調理状態ならびに加熱調理後の状態を視認できる窓部を有し、カートンを容易に開封できるミシン目線を有している。
【００４５】
以下、本発明の具体的実施例について説明する。
【実施例１】
【００４６】
坪量３５０ｇ／ｍ２の板紙を用いて、予め所定の部位に、窓部として楕円形の切欠け部を作成した。次に、窓貼りフィルムとして、ポリエチレンテレフタレートフィルムを所定のサイズに切断して、切欠け部の裏側に、図２のブランクに示す部位に貼着されるように貼着した。接着剤は、二液反応型ウレタン系接着剤を使用した。またポリエチレンテレフタレートフィルムは、厚み５０μｍを使用した。
【００４７】
次に、トムソン抜き型機を使用し、図２で示したブランクを形成した。即ち、糊代片、底板、側板、天板、第二側板を折り曲げ線を介してそれぞれ形成し、底板には折り曲げ線を介してそれぞれ底板縁片、天板には折り曲げ線を介してそれぞれ天板縁片が形成した。また側板には折り曲げ線を介してそれぞれ切込み片を形成し、第二側板には折り曲げ線を介してそれぞれ切込み片を形成した。同時にミシン目線を、切欠け部の周辺の部位に、切欠け部の長手方向と平行に直線状に２本形成しジッパーを形成した。このようにしてブランクを作成した。
作成されたブランクには、天板の中央部に、楕円形の窓部が形成されている。またカートンを開封するためのミシン目線、ジッパーが、板紙と窓貼りフィルムが貼り合わされた部位に直線状に形成されている。
【００４８】
作成されたブランクを、糊代片と第二側板を、ウレタン系接着剤を用いて貼り合わせ、スリーブを形成した。
【００４９】
このスリーブに、調理済みのおでんが収納された蒸気抜きの機能を有した包装袋を挿入し、底板縁片、天板縁片を、それぞれウレタン系接着剤を用いて部分的に貼り合わせて、該包装袋を収納した。このカートンを三分間、電子レンジで加熱調理した。加熱調理中は、包装袋から蒸気が発生し、おでんも加熱調理されていた。
【００５０】
以下、本発明の具体的比較例について説明する。
【００５１】
＜比較例１＞
前記ミシン目線を窓貼りフィルムが貼着されていない部位に形成した。それ以外は、実施例１と同様に行った。
【００５２】
＜評価方法＞
電子レンジで加熱調理した包装袋を取り出すために、電子レンジからカートンを取り出し、ジッパーをカットし、直進カット性の確認を行った。
【００５３】
＜評価結果＞
比較例１では、ジッパーをカットする際、板紙の層間から剥離してしまい、開封が不可能であった。実施例１では、ジッパーのカットがスム―ズに行われ、優れた直線カット性を示した。
【産業上の利用可能性】
【００５４】
本発明のブランクおよびそれを用いたカートンは、加熱調理する食品を収納した包装袋の外装カートンとして使用することができる。また、蒸したり、電子レンジで加熱調理する一次容器としても使用できる。また加熱調理する食品に焦げ目を付与する要望があるときには、カートンの内部にサセプタ―を備えることで可能である。
【符号の説明】
【００５５】
１    板紙
２    切欠け部
３    ミシン目線
４    窓部
５    窓貼りフィルム
６    ジッパー
１０  糊代片
１１  底板
１２  側板
１３  天板
１４  第二側板
１５  底板縁片
１６  天板縁片
１７  切込み片
５０  本発明のブランク
６０  本発明のカートン
ａ    折り曲げ線
【図１】
2013184718.tif 000003
【図２】
2013184718.tif 000004
【図３】
2013184718.tif 000005
【図４】
2013184718.tif 000006